(57)【要約】      （修正有）【課題】メンテナンスが容易で、且つ設置性に優れた換気装置を提供する。【解決手段】室外吸込口（２１）と室内給気口（２３）とを繋ぐ給気通路と、室内吸込口（２２）と室外排気口（２４）とを繋ぐ排気通路とが形成されるケーシング（１０）の上面板（１３）に、室外吸込口（２１）と室内吸込口（２２）と室内給気口（２３）と室外排気口（２４）とを形成し、各吸込口（２１、２２）及び給／排気口（２４）にダクトを接続できるようにする。【選択図】図９
2008045794.tif 000002
【特許請求の範囲】
【請求項１】
室外吸込口（21）と室内給気口（23）とを繋ぐ給気通路と、室内吸込口（22）と室外排気口（24）とを繋ぐ排気通路とが形成されるケーシング（10）と、該ケーシング（10）内に収納されて、上記給気通路を流れる室外空気と上記排気通路を流れる室内空気とを熱交換させる熱交換エレメント（61,62）とを備えた換気装置であって、
上記室外吸込口（21）と上記室内給気口（23）と上記室内吸込口（22）と上記室外排気口（24）とが、上記ケーシング（10）の上部に設けられていることを特徴とする換気装置。
【請求項２】
請求項１において、
上記室外吸込口（21）と上記室内給気口（23）と上記室内吸込口（22）と上記室外排気口（24）とが、上記ケーシングの上面に形成されていることを特徴とする換気装置。
【請求項３】
請求項１又は２において、
上記ケーシング（10）では、その前面側に形成される前面パネル（12）が着脱自在となっており、
上記熱交換エレメント（61,62）は、上記前面パネル（12）を取り外すと、ケーシング（10）の外部に露出するように配置されていることを特徴とする換気装置。
【請求項４】
請求項１又は２において、
上記給気通路又は排気通路を流れる空気中の塵埃を捕集するフィルタ（71）を備え、
上記ケーシング（10）では、その前面側に形成される前面パネル（12）が着脱自在となっており、
上記フィルタ（71）は、上記前面パネル（12）を取り外すと、ケーシング（10）の外部に露出するように配置されていることを特徴とする換気装置。
【請求項５】
請求項４において、
上記フィルタ（71）は、上記給気通路における上記熱交換エレメント（61,62）の上流側に設けられていることを特徴とする換気装置。
【請求項６】
請求項５において、
上記熱交換エレメント（61,62）は、その下側から上側に向かって上記給気通路の空気が流れるように構成され、
上記フィルタ（71）は、上記熱交換エレメント（61）の下側に配置されていることを特徴とする換気装置。
【請求項７】
請求項１又は２において、
電装品が収納される電装品箱（72）を備え、
上記ケーシング（10）では、その前面側に形成される前面パネル（12）が着脱自在となっており、
上記電装品箱（72）は、上記前面パネル（12）を取り外すと、ケーシング（10）の外部に露出するように配置されていることを特徴とする換気装置。
【請求項８】
請求項７において、
上記電装品箱（72）は、ケーシング（10）の上部に設けられていることを特徴とする換気装置。
【請求項９】
請求項１又は２において、
上記給気通路を流れる空気を搬送するための給気ファン（73）と、上記排気通路を流れる空気を搬送するための排気ファン（74）とを備え、
上記給気ファン（73）と排気ファン（74）とは、ケーシング（10）の上部に設けられていることを特徴とする換気装置。
【請求項１０】
請求項１又は２において、
上記給気通路を流れる空気を搬送するための給気ファン（73）と、上記排気通路を流れる空気を搬送するための排気ファン（74）とを備え、
上記給気ファン（73）は、給気通路における熱交換エレメント（61,62）の下流側に配置され、
上記排気ファン（74）は、排気通路における熱交換エレメント（61,62）の下流側に配置されていることを特徴とする換気装置。
【発明の詳細な説明】
【技術分野】
【０００１】
本発明は、室外空気を室内へ供給し、室内空気を室外へ排出しながら、各空気を熱交換させる熱交換エレメントを備えた換気装置に関するものである。
【背景技術】
【０００２】
従来より、例えば特許文献１に開示されているように、熱交換エレメントを備えた換気装置が知られている。この換気装置は、室外空気を室内へ供給し、室内空気を室外へ排出する。この際、室内へ送られる室外空気と室外へ排出される室内空気とは、熱交換エレメントを通過する。熱交換エレメントは、これらの空気の通過方向が互いに直交する直流型の熱交換器を構成している。そして、熱交換エレメントでは、室外空気と室内空気との間で熱交換が行われる。また、熱交換エレメントでは、室外空気と室内空気との間で水分の授受も行われる。
【０００３】
ところで、特許文献１の換気装置は、いわゆる天井埋込型の換気装置である。つまり、この換気装置は、そのケーシングが天井裏の空間に設置されている。ケーシングの側板には、室外空気をケーシング内に導入するための室外吸込口と、室内空気をケーシング内に導入するための室内吸込口と、処理後の室外空気を室内へ供給するための室内給気口と、処理後の室内空気を室外へ排出するための室外排出口とが形成されている。これらの吸込口や給気／排気口には、それぞれダクト等が接続され、各ダクトは室内空間や室外空間へ開口している。
【特許文献１】特開平０６−２５７８１７号公報
【発明の開示】
【発明が解決しようとする課題】
【０００４】
特許文献１に開示のように、換気装置を天井裏に設置するようにすると、この換気装置のメンテナンスが煩雑となる。具体的には、天井埋込型の換気装置では、例えばユーザーが天井面側からフィルタの清掃や交換を行うために、脚立等を用いなければならないことがある。また、熱交換エレメントや各電装品のメンテナンスを行う場合、天井裏に回り込んだり、換気装置を一旦天井から取り外したりする必要性も生じる。
【０００５】
一方、特許文献１の換気装置を室内空間に設置し、いわゆる床置型の換気装置として利用することも考えられる。しかしながら、この場合には、ケーシングの側面の各吸込口や給／排気口に各ダクトがそれぞれ接続されることになる。このため、これらのダクトの設置スペースを充分確保する必要があり、この換気装置の設置場所にも制約が生ずる。
【０００６】
本発明は、かかる点に鑑みてなされたものであり、その目的は、メンテナンスが容易で、且つ設置性に優れた換気装置を提供することである。
【課題を解決するための手段】
【０００７】
第１の発明は、室外吸込口（21）と室内給気口（23）とを繋ぐ給気通路と、室内吸込口（22）と室外排気口（24）とを繋ぐ排気通路とが形成されるケーシング（10）と、該ケーシング（10）内に収納されて、上記給気通路を流れる室外空気と上記排気通路を流れる室内空気とを熱交換させる熱交換エレメント（61,62）とを備えた換気装置を前提としている。そして、この換気装置は、上記室外吸込口（21）と上記室内給気口（23）と上記室内吸込口（22）と上記室外排気口（24）とが、上記ケーシング（10）の上部に設けられていることを特徴とするものである。なお、ここでいう、「ケーシングの上部」とは、ケーシングの上面だけでなく、ケーシングの側面の上部寄りの位置も含む意味である。
【０００８】
第１の発明では、換気装置のケーシング（10）に、給気通路と排気通路とが形成される。この換気装置の運転時には、室外吸込口（21）から給気通路へ室外空気が導入される一方、室内吸込口（22）から排気通路へ室内空気が導入される。給気通路を流れる室外空気と排気通路を流れる室内空気とは、それぞれ熱交換エレメント（61,62）を通過する。熱交換エレメント（61,62）では、室内空気と室外空気とが熱交換する。熱交換エレメント（61,62）で処理された後の室外空気は、室内給気口（23）より室内へ供給される。一方、熱交換エレメント（61,62）で処理された後の室内空気は、室外排気口（24）より室外へ排出される。以上のようにして、この換気装置では、室内の換気と同時に室内の空調も行う。
【０００９】
ここで、本発明の換気装置では、室外吸込口（21）と室内吸込口（22）と室内給気口（23）と室外排気口（24）とが、全てケーシング（10）の上部に形成される。つまり、本発明では、各吸込口（21,22）や給／排気口（23,24）が、全てケーシング（10）の上部に集約される。このため、この換気装置を室内の床面に設置しても、各吸込口（21,22）や給／排気口（23,24）に接続されるダクトを天井側に伸ばすことで、この換気装置の設置スペースを最小限に抑えることができる。
【００１０】
第２の発明は、第１の発明の換気装置において、上記室外吸込口（21）と上記室内給気口（23）と上記室内吸込口（22）と上記室外排気口（24）とが、上記ケーシングの上面に形成されていることを特徴とするものである。
【００１１】
第２の発明では、室外吸込口（21）と室内吸込口（22）と室内給気口（23）と室外排気口（24）とが、全てケーシング（10）の上面に形成される。つまり、本発明では、各吸込口（21,22）や給／排気口（23,24）が、全てケーシング（10）の上面に集約される。このため、この換気装置を室内の床面に設置しても、各吸込口（21,22）や給／排気口（23,24）に接続されるダクトを天井側に伸ばすことで、この換気装置のスペースを更に縮小できる。この場合には、ケーシングの側面側には、ダクトを配設しなくても良いので、クローゼット等の狭いスペースに換気装置を収納することも可能となる。
【００１２】
第３の発明は、第１又は第２の発明の換気装置において、上記ケーシング（10）では、その前面側に形成される前面パネル（12）が着脱自在となっており、上記熱交換エレメント（61,62）は、上記前面パネル（12）を取り外すと、ケーシング（10）の外部に露出するように配置されていることを特徴とするものである。
【００１３】
第３の発明では、ケーシング（10）の前面側の前面パネル（12）がケーシング（10）の本体から着脱自在となる。そして、この前面パネル（12）を取り外すと、熱交換エレメント（61,62）がケーシング（10）の外部に露出した状態となる。このため、この換気装置を床面に設置しても、前面パネル（12）を取り外すことで、熱交換エレメント（61,62）のメンテナンスを容易に行うことができる。
【００１４】
第４の発明は、第１又は第２の発明の換気装置において、上記給気通路又は排気通路を流れる空気中の塵埃を捕集するフィルタ（71）を備え、上記ケーシング（10）では、その前面側に形成される前面パネル（12）が着脱自在となっており、上記フィルタ（71）は、上記前面パネル（12）を取り外すと、ケーシング（10）の外部に露出するように配置されていることを特徴とするものである。
【００１５】
第４の発明では、給気通路又は排気通路にフィルタ（71）が設けられる。このフィルタ（71）は、給気通路を流れる室外空気中の塵埃や、排気通路を流れる室内空気中の塵埃を捕集する。ここで、本発明では、前面パネル（12）を取り外すと、このフィルタ（71）が露出した状態となる。このため、この換気装置を床面に設置しても、前面パネル（12）を取り外すことで、フィルタ（71）のメンテナンスや交換を容易に行うことができる。
【００１６】
第５の発明は、第４の発明の換気装置において、上記フィルタ（71）は、上記給気通路における上記熱交換エレメント（61,62）の上流側に設けられていることを特徴とするものである。
【００１７】
第５の発明では、熱交換エレメント（61,62）の上流側の給気通路にフィルタ（71）が配置される。つまり、本発明のフィルタ（71）は、熱交換エレメント（61,62）に流入する前の室外空気中の塵埃を捕集する。その結果、熱交換エレメント（61,62）に室外空気中の塵埃が付着してしまうことが回避される。
【００１８】
第６の発明は、第５の発明の換気装置において、上記熱交換エレメント（61,62）は、その下側から上側に向かって給気通路の空気が流れるように構成され、上記フィルタ（71）は、上記熱交換エレメント（61）の下側に配置されていることを特徴とするものである。
【００１９】
第６の発明では、給気通路を流れる室外空気が、まず、熱交換エレメント（61,62）の下側に配置されたフィルタ（71）を通過する。このフィルタ（71）では、室外空気中の塵埃が捕集される。その後、室外空気は、熱交換エレメント（61,62）の下側から上側に向かって流れる。ここで、このように室外空気が、熱交換エレメント（61,62）を鉛直上方に流れるようにすると、熱交換エレメント（61,62）の下面側には、フィルタ（71）で捕集できなかった比較的小径の塵埃が付着してしまうことがある。しかしながら、本発明では、熱交換エレメント（61,62）への室外空気の供給を停止させることで、熱交換エレメント（61,62）の下面側に付着した塵埃をフィルタ（71）の上面に落下させることができる。
【００２０】
また、本発明のように、熱交換エレメント（61,62）の下側にフィルタ（71）を配置すると、このフィルタ（71）を交換する際、フィルタ（71）に捕集された塵埃等が剥がれ落ちても、熱交換エレメント（61,62）に付着することがない。
【００２１】
第７の発明は、第１又は第２の発明の換気装置において、電装品が収納される電装品箱（72）を備え、上記ケーシング（10）では、その前面側に形成される前面パネル（12）が着脱自在となっており、上記電装品箱（72）は、上記前面パネル（12）を取り外すと、ケーシング（10）の外部に露出するように配置されていることを特徴とするものである。
【００２２】
第７の発明では、換気装置の運転に必要な各電装品が電装品箱（72）に収納される。ここで、本発明では、前面パネル（12）を取り外すと、この電装品箱（72）がケーシング（10）の外部に露出した状態となる。このため、この換気装置を床面に設置しても、前面パネル（12）を取り外すことで、電装品箱（72）のメンテナンスや交換を容易に行うことができる。
【００２３】
第８の発明は、第７の発明の換気装置において、上記電装品箱（72）は、ケーシング（10）の上部に設けられていることを特徴とするものである。
【００２４】
第８の発明では、電装品箱（72）がケーシング（10）の上部に設けられる。一方、工事の施工不良等の何らかの原因により、ケーシング（10）内の空気通路に水分が侵入するとは、この水分はケーシング（10）の下部に溜まり込むため、電装品箱（72）の周囲が湿潤状態となってしまうのを回避できる。
【００２５】
第９の発明は、第１又は第２の発明の換気装置において、上記給気通路を流れる空気を搬送するための給気ファン（73）と、上記排気通路を流れる空気を搬送するための排気ファン（74）とを備え、上記給気ファン（73）と排気ファン（74）とは、ケーシング（10）の上部に設けられていることを特徴とするものである。
【００２６】
第９の発明では、空気を搬送するための給気ファン（73）及び排気ファン（74）が、それぞれケーシング（10）の上部に設けられる。一方、ケーシング（10）内に侵入した水分は、ケーシング（10）の下部に溜まり込むため、各ファン（73,74）の周囲が湿潤状態となってしまうのを回避できる。
【００２７】
第１０の発明は、第１又は第２の発明の換気装置において、上記給気通路を流れる空気を搬送するための給気ファン（73）と、上記排気通路を流れる空気を搬送するための排気ファン（74）とを備え、上記給気ファン（73）は給気通路における熱交換エレメント（61,62）の下流側に配置され、上記排気ファン（74）は排気通路における熱交換エレメント（61,62）の下流側に配置されていることを特徴とするものである。
【００２８】
第１０の発明では、給気ファン（73）及び排気ファン（74）が、それぞれ熱交換エレメント（61,62）の下流側に配置される。つまり、本発明では、熱交換エレメント（61,62）は、各ファン（73,74）の吸込側に位置している。このため、例えば熱交換エレメント（61,62）が各ファン（73,74）の吹出側に位置している場合と比較して、室外空気や室内空気が熱交換エレメント（61,62）の全域を均等に流通し易くなる。
【発明の効果】
【００２９】
本発明では、室外吸込口（21）と室内吸込口（22）と室内給気口（23）と室外排気口（24）とを、それぞれケーシング（10）の上部に形成するようにしている。このため、本発明によれば、この換気装置を床面に設置しても、各吸込口（21,22）や給／排気口（23,24）に接続されるダクトを上方の天井側に伸ばすことで、室内空間で各ダクトが邪魔となりにくい。このため、この換気装置を比較的狭いスペースにも設置できる床置型の換気装置として使用することができる。また、このように換気装置を床面に設置するようにすると、例えば天井埋込型の換気装置と比較して、この換気装置のメンテナンスを容易に行うことができる。
【００３０】
特に、上記第２の発明では、各吸込口（21,22）や給／排気口（23,24）をケーシング（10）の上面に形成するようにしている。このため、本発明によれば、各ダクトをケーシング（10）の上面から天井側へ真っ直ぐ伸ばすように配設することができる。このため、各ダクトの設置スペースを最小限に抑えることができ、この換気装置を室内にコンパクトに配置できる。
【００３１】
上記第３の発明では、前面パネル（12）を取り外すことで、熱交換エレメント（61,62）がケーシング（10）の外部へ露出するようにしている。このため、本発明によれば、例えばメンテナンス業者等が、熱交換エレメント（61,62）のメンテナンスを室内側から容易に行うことができる。
【００３２】
上記第４の発明では、前面パネル（12）を取り外すことで、フィルタ（71）がケーシング（10）の外部へ露出するようにしている。このため、本発明によれば、例えばユーザー等が、フィルタ（71）のメンテナンスを室内側から容易に行うことができる。
【００３３】
また、第５の発明では、熱交換エレメント（61,62）の上流側を流れる室外空気中の塵埃をフィルタ（71）で捕集するようにしている。このため、本発明によれば、熱交換エレメント（61,62）に室外空気中の塵埃が付着してしまうのを効果的に防止することができる。
【００３４】
特に、第６の発明では、このフィルタ（71）を熱交換エレメント（61）の下側に配置するようにしている。このため、本発明によれば、フィルタ（71）を通過して熱交換エレメント（61）の下面に付着した塵埃を、このフィルタ（71）の上面で回収することができる。その結果、熱交換エレメント（61）の下側の空気通路をクリーンな状態に保つことができる。また、このようにフィルタ（71）を熱交換エレメント（61）の下側に配置すると、フィルタ（71）を交換する際等にフィルタ（71）から埃等が剥がれ落ちても、この埃が熱交換エレメント（61）の上側に付着してしまうことがない。
【００３５】
上記第７の発明では、前面パネル（12）を取り外すことで、電装品箱（72）がケーシング（10）の外部へ露出するようにしている。このため、本発明によれば、例えばメンテナンス業者等が、電装品箱（72）のメンテナンスを室内側から容易に行うことができる。
【００３６】
特に、上記第８の発明では、電装品箱（72）をケーシング（10）の上部に設けるようにしている。このため、本発明によれば、電装品箱（72）の周囲が湿潤状態となるのを極力回避することができ、各電装品の電気的な不具合を防止することができる。
【００３７】
また、上記第９の発明では、給気ファン（73）及び排気ファン（74）をケーシング（10）の上部に設けるようにしている。このため、本発明によれば、各ファン（73,74）の周囲が湿潤状態となるのを極力回避することができ、各ファン（73,74）の電気的な不具合を防止することができる。
【００３８】
特に、上記第１０の発明では、各ファン（73,74）の吸込側に熱交換エレメント（61,62）を配置するようにしている。このため、本発明によれば、空気が熱交換エレメント（61,62）の全域を均一に流れ易くなるため、室外空気と室内空気との間の熱交換の効率を高めることができる。
【発明を実施するための最良の形態】
【００３９】
以下、本発明の実施形態を図面に基づいて詳細に説明する。なお、以下の説明で用いる「右」「左」「上」「下」「前」「後」という語句は、特にことわらない限り、いずれも図１に示す状態のものを意味している。
【００４０】
まず、本実施形態の換気装置（1）の構成について図１〜図９を参照しながら説明する。本実施形態の換気装置（1）は、室内の床面に設置される、いわゆる床置型の換気装置を構成している。図１及び図２に示すように、換気装置（1）は、縦長の直方体状に形成されたケーシング（10）を備えている。ケーシング（10）は、前面が開放されたケーシング本体（11）と、ケーシング本体（11）の前側の開放部に着脱自在な前面パネル（12）とを備えている。
【００４１】
ケーシング本体（11）には、その上部に上面板（13）が形成され、その後方側に背面板（14）が形成されている。上面板（13）には、室外吸込口（21）と室内吸込口（22）と室内給気口（23）と室外排気口（24）とが形成されている。室外吸込口（21）は上面板（13）の左側後寄りに、室内吸込口（22）は上面板（13）の左側前寄りに、室内給気口（23）は上面板（13）の右側前寄りに、室外排気口（24）は上面板（13）の右側後寄りにそれぞれ形成されている。
【００４２】
前面パネル（12）は、後側が開放された箱状に形成されている。ケーシング本体（11）に前面パネル（12）が取り付けられた状態では、前面パネル（12）の後側に矩形状の内部空間が形成される（図２参照）。
【００４３】
前面パネル（12）は、前面パネル仕切板（12a）と、閉塞部材（12b）と、操作部（12c）とを備えている。前面パネル仕切板（12a）は、前面パネル（12）の内側に取り付けられている。この前面パネル仕切板（12a）は、前面パネル（12）の内側の空間を上下２つの空間に仕切っている。閉塞部材（12b）は、前面パネル（12）の下部に取り付けられている。この閉塞部材（12b）は、前面パネル（12）から取り外し可能に構成されている。つまり、閉塞部材（12b）は、前面パネル（12）と別体となってケーシング（10）から着脱自在となっている。操作部（12c）は、前面パネル（12）の前面の上部寄りに形成されている。この操作部（12c）には、換気装置（1）の運転操作を行うためのスイッチ等が設けられている。
【００４４】
図３に示すように、ケーシング本体（11）内には、その上部寄りに第１仕切板（31）が設けられている。この第１仕切板（31）は、ケーシング本体（11）の内部の空間を上下２つの空間に仕切っている。この上下２つの空間のうち上側の空間には、前後に延びる第２仕切板（32）が設けられている。この第２仕切板（32）は、この上側の空間を更に左右２つの空間に仕切っている。この左右２つの空間のうち左側の空間には、第３仕切板（33）と第４仕切板（34）とが設けられ、右側の空間には、第５仕切板（35）が設けられている。
【００４５】
第３仕切板（33）の後側には室外吸込通路（41）が形成されている。この室外吸込通路（41）は、上記室外吸込口（21）と連通している。第４仕切板（34）の前側には室内吸込通路（42）が形成されている。この室内吸込通路（42）は、上記室内吸込口（22）と連通している。また、室内吸込通路（42）は、上述した前面パネル（12）内の上側の空間と連通している（図２参照）。第５仕切板（35）の前側には室内給気通路（43）が形成されている。この室内給気通路（43）は、室内給気口（23）と連通している。また、室内給気通路（43）は、図示しない仕切板によって、前面パネル（12）内の上側の空間と仕切られている。第５仕切板（35）の後側には室外排気通路（44）が形成されている。この室外排気通路（44）は、室外排気口（24）と連通している。
【００４６】
第３仕切板（33）と第４仕切板（34）との間には、バイパス通路（45）が形成されている。このバイパス通路（45）は、第４仕切板（34）に形成されるバイパス導入口（34a）を介して上記室内吸込通路（42）と連通している。また、第４仕切板（34）には、バイパス導入口（34a）を開閉自在な開閉ダンパ（34b）が取り付けられている。
【００４７】
図３及び図４に示すように、第１仕切板（31）には、第１連通口（31a）と第２連通口（31b）と第３連通口（31c）とが形成されている。第１連通口（31a）は、室外吸込通路（41）に開口している。第２連通口（31b）は、バイパス通路（45）と室外排気通路（44）とに跨るようにして両通路（44,45）に開口している。第３連通口（31c）は、室内給気通路（43）に開口している。また、第１仕切板（31）は、その前端面が下側に屈曲している。
【００４８】
第１仕切板（31）の下側には、第１から第５までの部材（51,52,53,54,55）と、第１と第２の熱交換エレメント（61,62）とが設けられている（例えば図３参照）。
【００４９】
図４に示すように、第１部材（51）は、第１仕切板（31）の後側略半分と一致するような横長の形状をしている。この第１部材（51）には、その後寄りに上部給気通路（51a）が、その前寄りに上部排気通路（51b）が形成されている。上部給気通路（51a）は、上記第１連通口（31a）を介して室外吸込通路（41）と連通している。上部排気通路（51b）は、上記第２連通口（31b）を介して室外排気通路（44）及びバイパス通路（45）と連通している。
【００５０】
第２部材（52）は、第１部材（51）の下側で、且つケーシング（10）の最も後側寄りに設けられている。第２部材（52）は、前方が開放された水平断面コの字型の形状をしている。そして、第２部材（52）の内側には、上下方向に延びる中間部給気通路（52a）が形成されている。中間部給気通路（52a）は、上記上部給気通路（51a）と連通している。
【００５１】
中間部給気通路（52a）は、ケーシング本体（11）の一側面である背面板（14）に沿って形成されている。中間部給気通路（52a）は、各熱交換エレメント（61,62）を通過する前の室外空気が流れるように構成されている。
【００５２】
第３部材（53）は、ケーシング（10）の下部の前側寄りに設けられている。第３部材（53）は、その左右両側に下部排気通路（53a,53a）をそれぞれ形成している。各下部排気通路（53a,53a）は、その前端開口部からその後方寄りの上端開口部までに亘って形成されている。また、第３部材（53）は、両下部排気通路（53a,53a）の間に下部給気通路（53b）を形成している。下部給気通路（53b）は、上記中間部給気通路（52a）と連通している。また、下部給気通路（53b）の前端の開口部は、前面パネル（12）の閉塞部材（12b）によって閉塞される（図２参照）。
【００５３】
第３部材（53）の上端には、下側枠部材（56）が設けられている。この下側枠部材（56）は、第３部材（53）の左右側端部に沿って延びる一対の棒状のガイド部と、これらのガイド部の後端部から左右に延びる棒状の中間ガイド部とで構成されている。下側枠部材（56）の内側には、上記第２熱交換エレメント（62）の下端部が嵌り込むようになっている。つまり、下側枠部材（56）は、第２熱交換エレメント（62）の位置決め部材として機能する。また、下側枠部材（56）は、第２熱交換エレメント（62）を通過する空気のシール部材としても機能する。更に、下側枠部材（56）の前端部には、前側ガイド板（57）が取り付けられる（例えば図３参照）。
【００５４】
図５に示すように、第４部材（54）は、上記第２部材（52）の前側で、且つ第３部材（53）の上側に設けられている。第４部材（54）は、前側が開放された水平断面コの字型の形状をしている。そして、第４部材（54）の内側には、上下方向に延びる中間部排気通路（54a）が形成されている。中間部排気通路（54a）は、その下端側が２つの下部排気通路（53a,53a）と接続し、その上端側が上記上部排気通路（51b）と接続している。
【００５５】
中間部排気通路（54a）は、ケーシング（10）の背面板（14）に沿って上記中間部給気通路（52a）と重なるように形成されている。具体的に、上記中間部給気通路（52a）は、背面板（14）側に位置して背面板（14）と隣り合っている形成されているのに対し、この中間部排気通路（54a）は、上記中間部給気通路（52a）よりもケーシング（10）の前後方向の内部側寄りに形成されている。つまり、中間部排気通路（54a）は、中間部給気通路（52a）と隣り合う一方、ケーシング（10）の背面板（14）とは隣り合っていない。この中間部排気通路（54a）は、各熱交換エレメント（61,62）を通過後の室内空気が流れるように構成されている。
【００５６】
第４部材（54）の下端部には、左右に延びる板状の蓋部材（54b）が設けられている。この蓋部材（54b）は、中間部排気通路（54a）と上記下部給気通路（53b）とを互いに仕切っている。
【００５７】
図６に示すように、第５部材（55）は、上記第４部材（54）の前側で、且つ第３部材（53）の上側に設けられている。第５部材（55）は、前側が開放された箱状に形成されている。第５部材（55）の内側には、上下方向に延びる連絡排気通路（55a）が形成されている。連絡排気通路（55a）は、第５部材（55）の天板によって上記上部排気通路（51b）と仕切られ、第５部材（55）の底板によって上記下部給気通路（53b）と仕切られている。
【００５８】
連絡排気通路（55a）は、上述した中間部排気通路（54a）と重なり合うように形成されている。具体的に、連絡排気通路（55a）は、中間部排気通路（54a）の前側で、且つ中間部排気通路（54a）と隣り合うように形成されている。連絡排気通路（55a）は、第１熱交換エレメント（61）を通過後で、且つ第２熱交換エレメント（62）へ流入する前の室内空気が流れるように構成されている。
【００５９】
第５部材（55）には、上側枠部材（58）が取り付けられている。上側枠部材（58）は、前後左右にそれぞれ棒状のガイド部が形成されている。上側枠部材（58）の内側には、上記第２熱交換エレメント（62）の上端部と、第１熱交換エレメント（61）の下端部とが嵌り込むようになっている。つまり、上側枠部材（58）は、各熱交換エレメント（61,62）の位置決め部材として機能する。また、上側枠部材（58）は、各熱交換エレメント（61,62）を通過する空気のシール部材としても機能する。
【００６０】
第１熱交換エレメント（61）及び第２熱交換エレメント（62）は、本発明の熱交換部材を構成し、上記第５部材（55）の前側に設けられている。第１熱交換エレメント（61）は、上側枠部材（58）と第１仕切板（31）の間に、第２熱交換エレメント（62）は、上記下側枠部材（56）と上側枠部材（58）の間にそれぞれ配置されている（例えば図３参照）。また、各熱交換エレメント（61,62）は、前面パネル（12）の裏側に位置している。つまり、各熱交換エレメント（61,62）は、前面パネル（12）を取り外すことで、その前面側がケーシング（10）の外部に露出されるように配置されている。
【００６１】
図７に示すように、各熱交換エレメント（61,62）は、左右の端面が正方形となった四角柱状に形成されている。熱交換エレメント（61,62）では、平板部材（63）と波板部材（64）とがその長手方向へ交互に配置されている。この熱交換エレメント（61,62）では、室外空気を流すための外気流路（65）と、室内空気を流すための内気流路（66）とが、平板部材（63）を挟んで交互に形成されている。四角柱状の熱交換エレメント（61,62）では、隣り合った側面の一方に外気流路（65）が、他方に内気流路（66）がそれぞれ開口している。このように、熱交換エレメント（61,62）は、外気流路（65）の伸長方向と内気流路（66）の伸長方向とが互いに直交する直交流型の熱交換器を構成している。
【００６２】
熱交換エレメント（61,62）の平板部材（63）は、例えば紙などの透湿性の材料で構成されている。熱交換エレメント（61,62）では、外気流路（65）を流れる室外空気と内気流路（66）を流れる室内空気の一方から他方へ熱と水分が移動する。つまり、熱交換エレメント（61,62）は、湿り空気同士の間でエンタルピを交換する、いわゆる全熱交換器を構成している。
【００６３】
図３に示すように、各熱交換エレメント（61,62）は、外気流路（65）が鉛直方向に延び、内気流路（66）が前後方向に延びる姿勢でケーシング本体（11）内に保持されている。第２熱交換エレメント（62）の外気流路（65）は、その下端側が下部給気通路（53b）と連通し、その上端側が第１熱交換エレメント（61）の外気流路（65）の下端側と連通している。また、第１熱交換エレメント（61）の外気流路（65）の上端側は、第３連通口（31c）を介して室内給気通路（43）と連通している。
【００６４】
図８(Ａ)及び図８(Ｂ)に示すように、第２熱交換エレメント（62）の内気流路（66）の前端側は、前面パネル（12）内の下側の空間を介して上記各下部排気通路（53a,53a）と連通している。また、第１熱交換エレメント（61）の内気流路（66）の前端側は、前面パネル（12）内の上側の空間を介して室内吸込通路（42）と連通している。一方、各熱交換エレメント（61,62）の後端側は、それぞれ上記連絡排気通路（55a）と連通している。
【００６５】
以上のようにして、ケーシング（10）内には、上記室外吸込口（21）から上記室内給気口（23）に亘って室外空気が流れる給気通路が形成される。また、ケーシング（10）内には、上記室内吸込口（22）から上記室外排気口（24）に亘って室内空気が流れる排気通路が形成される。
【００６６】
換気装置（1）は、フィルタ部材（71）と電装品箱（72）と給気ファン（73）と排気ファン（74）とを備えている。
【００６７】
フィルタ部材（71）は、例えば図２〜図４に示すように、第２熱交換エレメント（62）の下側であって、下部給気通路（53b）内に配置されている。このフィルタ部材（71）は、板状の基材に、空気中の塵埃を捕集するフィルタが取り付けられて構成されている。フィルタ部材（71）では、鉛直方向に空気の流通路が形成されている。
【００６８】
また、フィルタ部材（71）は、前面パネル（12）の閉塞部材（12b）の裏側に位置している。つまり、フィルタ部材（71）は、閉塞部材（12b）を取り外すことで、ケーシング（10）の外部に露出するように配置されている。更に、フィルタ部材（71）は、前後へのスライド動作が可能となるように第３部材（53）に支持されている。
【００６９】
電装品箱（72）には、換気装置（1）の運転に必要な各種の電装品が収納されている。この電装品箱（72）は、ケーシング（10）の上部に取り付けられている。ところで、工事の施工不良等の何らかの原因により、ケーシング（10）内の空気通路に水分が侵入すると、この水分は最終的にはケーシング（10）の下部側に溜まり込み易い。これに対し、本実施形態では、このように電装品箱（72）をケーシング（10）の上部寄りに配置することで、電装品箱（72）の周囲が湿潤状態となるのを防ぎ、各電装品の電気的な不具合等を防止するようにしている。また、電装品箱（72）は、前面パネル（12）の操作部（12c）の裏側に位置している。つまり、電装品箱（72）は、前面パネル（12）を取り外すことで、ケーシング（10）の外部に露出するように配置されている。
【００７０】
給気ファン（73）は、給気通路を流れる室外空気を搬送するためのものであり、排気ファン（74）は、排気通路を流れる室内空気を搬送するためのものである。図８(Ｂ)に示すように、給気ファン（73）及び排気ファン（74）は、それぞれケーシング（10）内の上部寄りに設けられている。具体的には、給気ファン（73）は上記室内給気通路（43）に設けられ、排気ファン（74）は上記室外排気通路（44）に設けられている。このように、各ファン（73,74）をケーシング（10）の上部寄りに配置することで、上述した電装品箱（72）と同様に、各ファン（73,74）の周囲が湿潤状態となるのを防ぎ、各ファン（73,74）の電気的な不具合を防止するようにしている。
【００７１】
給気ファン（73）は、給気通路における各熱交換エレメント（61,62）の下流側に設けられている。つまり、給気ファン（73）は、その吸込側に各熱交換エレメント（61,62）が位置している。このため、給気ファン（73）を各熱交換エレメント（61,62）の上流側に配置する場合と比較して、給気ファン（73）に搬送される室外空気は、各熱交換エレメント（61,62）の外気流路（65）の全域を均一に流通し易くなる。
【００７２】
排気ファン（74）は、この排気ファン（74）は、排気通路における各熱交換エレメント（61,62）の下流側に設けられている。つまり、排気ファン（74）は、その吸込側に各熱交換エレメント（61,62）が位置している。このため、排気ファン（74）を各熱交換エレメント（61,62）の上流側に配置する場合と比較して、排気ファン（74）に搬送される室内空気は、各熱交換エレメント（61,62）の内気流路（66）の全域を均一に流通し易くなる。
【００７３】
図９に示すように、本実施形態に係る換気装置（1）は、例えば室内のクローゼット等の収納空間（80）内に配置されている。この換気装置（1）は、その前面パネル（12）が収納空間（80）の前側の開放部に位置するように設置される。この換気装置（1）では、上述した室外吸込口（21）と室内吸込口（22）と室内給気口（23）と室外排気口（24）とが、上面板（13）において上方を向くように開口している。そして、収納空間（80）内では、天井側から鉛直下方に延びる４本のダクト（81,82,83,84）が、各吸込口（21,22）及び給／排気口（23,24）にそれぞれ接続される。具体的には、上記室外吸込口（21）には、室外空間と繋がる室外吸込ダクト（81）が、上記室内吸込口（22）には、室内空間と繋がる室内吸込ダクト（82）が、上記室内給気口（23）には、室内空間と繋がる室内給気ダクト（83）が、上記室外排気口（24）には、室外空間と繋がる室外排気ダクト（84）が、それぞれ接続されている。
【００７４】
−運転動作−
本実施形態の換気装置（1）では、熱交換換気運転と普通換気運転とが切り換え可能となっている。
【００７５】
〈熱交換換気運転〉
熱交換換気運転について図１０(Ａ)及び図１０(Ｂ)を参照しながら説明する。この運転は、例えば冬季や夏季のように、空調されている室内空間と室外空間との間の気温差や湿度差が大きい場合に行われる。
【００７６】
熱交換換気運転では、開閉ダンパ（34b）がバイパス導入口（34a）を塞ぐ位置に設定される（図１０(Ａ)参照）。この状態において、給気ファン（73）及び排気ファン（74）を運転すると、室外空気が室外吸込ダクト（81）を通って室外吸込口（21）内に流入し、室内空気が室内吸込ダクト（82）を通って室内吸込口（22）内に流入する。
【００７７】
室外吸込口（21）よりケーシング（10）内に流入した室外空気は、室外吸込通路（41）及び上部給気通路（51a）を通過して、中間部給気通路（52a）を流れる。中間部給気通路（52a）を流れる室外空気は、下部給気通路（53b）を通った後、フィルタ部材（71）を上方に流通する。フィルタ部材（71）では、室外空気中に含まれる塵埃等が捕捉される。フィルタ部材（71）を通った室外空気は、下側から上側に向かって、第２熱交換エレメント（62）と第１熱交換エレメント（61）とを順に通過する。
【００７８】
室内吸込口（22）よりケーシング（10）内に流入した室内空気は、室内吸込通路（42）を通過して、前面パネル（12）内の上側の空間を流れる。その後、室内空気は、第１熱交換エレメント（61）を通過し、連絡排気通路（55a）を経由して第２熱交換エレメント（62）を通過する。
【００７９】
各熱交換エレメント（61,62）では、外気流路（65）を流れる室外空気と内気流路（66）を流れる室内空気との間で熱と水分の授受が行われる。
【００８０】
例えば、冬期に室内を空調している状態において、室内空気の温度及び湿度は、室外空気の温度及び湿度に比べて高くなっている。従って、この状態で熱交換換気運転を行う場合、熱交換エレメント（61,62）では、室内空気から室外空気へ熱と水分が移動する。つまり、室内へ供給される室外空気は、室外へ排出される室内空気によって加熱され且つ加湿される。
【００８１】
また、夏季に室内を空気調和している状態において、室内空気の温度及び湿度は、室外空気の温度及び湿度に比べて低くなっている。従って、この状態で熱交換換気運転を行う場合、熱交換エレメント（61,62）では、室外空気から室内空気へ熱と水分が移動する。つまり、室内へ供給される室外空気は、室外へ排出される室内空気によって冷却され且つ減湿される。
【００８２】
第２熱交換エレメント（62）と第１熱交換エレメント（61）とを順に通過した室外空気は、室内給気通路（43）を通った後、室内給気口（23）を介してケーシング（10）の外部へ吹き出される。この空気は、室内給気ダクト（83）を経由して所定の室内空間へ供給される。
【００８３】
第１熱交換エレメント（61）と第２熱交換エレメント（62）とを順に通過した室内空気は、前面パネル（12）の下側の空間を流れる。その後、室内空気は、２つの下部排気通路（53a）に分流し、中間部排気通路（54a）で再び合流する。中間部排気通路（54a）を流れる室外空気は、上部排気通路（51b）及び室外排気通路（44）を通った後、室外排気口（24）を介してケーシング（10）の外部へ吹き出される。この空気は、室外排気ダクト（84）を経由して室外空間へ排出される。
【００８４】
〈普通換気運転〉
普通換気運転について図１１(Ａ)及び図１１(Ｂ)を参照しながら説明する。この運転は、例えば中間期（春季や秋季）のように、空調されている室内空間と室外空間との間における気温差や湿度差がさほど大きくない場合に行われる。
【００８５】
普通換気運転では、開閉ダンパ（34b）がバイパス導入口（34a）を開放する位置に設定される（図１２(Ａ)参照）。この状態では、室内吸込口（22）と室内吸込通路（42）との間が開閉ダンパ（34b）によって遮断される。この状態において、給気ファン（73）及び排気ファン（74）を運転すると、室外空気が室外吸込ダクト（81）を通って室外吸込口（21）内に流入し、室内空気が室内吸込ダクト（82）を通って室内吸込口（22）内に流入する。
【００８６】
室内吸込口（22）よりケーシング（10）内に流入した室内空気は、バイパス通路（45）及び上部排気通路（51b）を通って室外排気通路（44）に流入する。つまり、この普通換気運転では、室外空気が各熱交換エレメント（61,62）をバイパスして室外排気通路（44）へ送り込まれる。
【００８７】
一方、ケーシング（10）内へ流入した室外空気は、熱交換換気運転と同様の給気通路を流れる。ここで、この普通換気運転では、各熱交換エレメント（61,62）の内気流路（66）に室内空気が流れていない。このため、室外空気が各熱交換エレメント（61,62）を通過する際には、室内空気との間で熱と水分の授受が行われない。
【００８８】
以上のように、この普通換気運転では、室外吸込口（21）より取り込まれた室外空気が、温湿度がほとんど変わらずに室内給気口（23）より吹き出され、室内給気ダクト（83）を経由して所定の室内空間へ供給される。また、室内吸込口（22）より取り込まれた室内空気は、温湿度がほとんど変わらずに室外排気口（24）より吹き出され、室外排気ダクト（84）を経由して所定の室外空間へ供給される。
【００８９】
−熱ロスの削減効果について−
ところで、図９に示すように、換気装置（1）を室内に設置して使用する場合、上述した熱交換換気運転において、排気通路より室外へ排出される空気（排出空気）と室内空間の室内空間との間で熱のやりとりが行われ、室内の暖房負荷や冷房負荷が増大してしまう虞がある。
【００９０】
具体的には、例えば冬期において、各熱交換エレメント（61,62）で熱を奪われた室内空気は、排気通路を経由して室外へ排出されることになる。このため、各熱交換エレメント（61,62）の下流側の排気通路には、比較的低温の空気（排出空気）が流れることになる。一方、ケーシング（10）の周囲の温度（室内温度）は、この排出空気の温度よりも高い温度となり易い。このため、冬期の運転では、室内空間の熱がケーシング（10）を介して排出空気に伝わってしまい、この排出空気が加温されてしまうことがある。この排出空気は、その後に室外へ排出されることになる。その結果、この換気装置（1）により室内に供給された熱が、結局は室外へ捨てられることになり、冬期の暖房負荷が増大してしまうという問題が生じる。
【００９１】
また、例えば夏期において、各熱交換エレメント（61,62）で熱が付与された室内空気は、排出通路を経由して室外へ排出されることになる。このため、各熱交換エレメント（61,62）の下流側の排気通路には、比較的高温の排出空気が流れることになる。一方、ケーシング（10）の周囲の室内温度は、この排出空気の温度よりも低い温度となり易い。このため、夏期の運転では、排出空気の熱がケーシング（10）を介して室内へ伝わってしまうことがある。その結果、室内の温度が上昇し、夏期の冷房負荷が増大してしまうという問題が生じる。
【００９２】
そこで、本実施形態の換気装置（1）では、例えば図１０に示すように、ケーシング（10）の背面板（14）からケーシング（10）の内部側（前側）へ向かって、中間部給気通路（52a）、中間部排気通路（54a）、及び連絡排気通路（55a）を順に並べて形成するようにしている。その結果、この換気装置（1）の熱交換換気運転では、室内空間の暖房負荷や冷房負荷が増大してしまうのを、以下に説明するようにして防止している。
【００９３】
まず、冬期において、各熱交換エレメント（61,62）で冷却された室内空気は、比較的低温（例えば５℃）の状態で中間部排気通路（54a）を流れる。ここで、この中間部排気通路（54a）は、ケーシング（10）の背面板（14）と隣り合っていない。このため、室内空間で比較的高温（例えば２０℃）となった室内空気の熱が、ケーシング（10）を介して中間部排気通路（54a）を流れる排出空気へ伝わってしまうのを回避できる。その結果、室内の暖房負荷の増大を抑制できる。
【００９４】
また、中間部排気通路（54a）は、中間部給気通路（52a）と隣り合っている。ここで、中間部給気通路（52a）には、比較的低温（例えば−５℃）の室外空気が流れている。このため、中間部排気通路（54a）を流れる排出空気の熱は、第４部材（54）の側壁を介して中間部給気通路（52a）を流れる室外空気に付与され、この室外空気が加熱される。つまり、本実施形態では、中間部排気通路（54a）を流れる排出空気の熱が中間部給気通路（52a）の室外空気に回収される。このようにして熱を回収した室外空気は、上述したようにして最終的に室内へ供給される。
【００９５】
更に、この換気装置（1）では、室内空気が中間部排気通路（54a）を上方へ流れ、室外空気が中間部給気通路（52a）を下方へ流れる。つまり、中間部排気通路（54a）と中間部給気通路（52a）とでは、熱交換される空気同士が対向流となっている。このため、両者の空気の熱交換効率が増し、中間部給気通路（52a）を流れる室外空気に回収される熱量も増大する。
【００９６】
また、中間部排気通路（54a）は、連絡排気通路（55a）とも隣り合っている。ここで、連絡排気通路（55a）には、第１熱交換エレメント（61）で冷却されて比較的低温（例えば１２℃）の室内空気が流れている。このため、連絡排気通路（55a）に第１熱交換エレメント（61）で冷却される前の高温（例えば２０℃）の室内空気を流すようにすると、室内空気の熱が中間部排気通路（54a）を流れる排出空気へ伝達してしまい易いのに対し、本実施形態では、連絡排気通路（55a）を流れる室内空気の熱が排出空気へ伝達しにくくなる。その結果、排気通路を介して室外へ排出される熱量を最小限に抑えることができる。
【００９７】
一方、夏期において、各熱交換エレメント（61,62）で加熱された室内空気は、比較的高温（例えば３０℃）の状態で中間部排気通路（54a）を流れる。ここで、この中間部排気通路（54a）は、ケーシング（10）の背面板（14）と隣り合っていない。このため、中間部排気通路（54a）を流れる排出空気の熱が、ケーシング（10）を介して室内空間の室内空気（例えば２５℃）へ伝わってしまうのを回避できる。その結果、室内の冷房負荷の増大を抑制できる。
【００９８】
また、中間部排気通路（54a）は、中間部給気通路（52a）と隣り合っている。ここで、中間部給気通路（52a）には、比較的高温（例えば３２℃）の室外空気が流れている。このため、中間部給気通路（52a）を流れる室外空気の熱が第４部材（54）の壁面を介して中間部排気通路（54a）を流れる排出空気に付与され、中間部給気通路（52a）の室外空気が冷却される。つまり、本実施形態では、中間部排気通路（54a）を流れる排出空気の冷熱が中間部給気通路（52a）の室外空気に回収される。このようにして冷熱を回収した室外空気は、上述したようにして最終的に室内へ供給される。
【００９９】
また、この換気装置（1）では、室内空気が中間部排気通路（54a）を上方へ流れ、室外空気が中間部給気通路（52a）を下方へ流れる。つまり、中間部排気通路（54a）と中間部給気通路（52a）では、熱交換される空気同士が対向流となっている。このため、両者の空気の熱交換効率が増し、中間部給気通路（52a）を流れる室外空気に回収される冷熱量も増大する。
【０１００】
また、中間部排気通路（54a）は、連絡排気通路（55a）とも隣り合っている。ここで、連絡排気通路（55a）には、第１熱交換エレメント（61）で加熱されて比較的高温（例えば２８℃）の室内空気が流れている。このため、連絡排気通路（55a）に第１熱交換エレメント（61）で冷却される前の低温（例えば２５℃）の室内空気が流れていると、中間部排気通路（54a）を流れる排出空気からこの連絡排気通路（55a）を流れる室内空気へ熱が伝達してしまい易いのに対し、本実施形態では、排出空気の熱が連絡排気通路（55a）を流れる室内空気へ伝達しにくい。その結果、排気通路を介して室外へ排出される冷熱量を最小限に抑えることができる。
【０１０１】
−換気装置の設置状況とメンテナンスについて−
図９を示して上述したように、本実施形態の換気装置（1）は、ケーシング（10）の上面板（13）に、室外吸込口（21）、室内吸込口（22）、室内給気口（23）、及び室外排気口（24）が形成され、各吸込口（21,22）や給／排気口（23,24）には、天井側から鉛直に延びる４本のダクト（81,82,83,84）が接続されている。このため、本実施形態では、換気装置（1）の左右側方や前後方向に各ダクト（81,82,83,84）が配設されることがない。このため、クローゼット等の比較的狭い収納空間（80）に換気装置（1）を設置することが可能となっている。
【０１０２】
また、本実施形態では、このようにして換気装置（1）を床置型としているため、ユーザーやメンテナンス業者等が、室内側から換気装置（1）のメンテナンスを容易に行うことができる。この点について以下に説明する。
【０１０３】
換気装置（1）は、ケーシング（10）の前面パネル（12）が収納空間（80）の開放部側に露出されるように設置されている。ユーザー等がフィルタ部材（71）の清掃や交換を行う場合には、前面パネル（12）の閉塞部材（12b）を前方にスライドさせ、ケーシング（10）から閉塞部材（12b）を取り外す。その結果、図２に示すフィルタ部材（71）がケーシング（10）の外部に露出されることになる。ユーザーは、更にフィルタ部材（71）を前方にスライドさせ、フィルタ部材（71）の清掃や交換を行う。
【０１０４】
ところで、このフィルタ部材（71）は、第１熱交換エレメント（61）の下側に位置している。このため、上述の換気装置（1）の運転動作において、フィルタ部材（71）で捕捉できなかった比較的小径の塵埃が第１熱交換エレメント（61）の下面に付着したとしても、その後に換気装置（1）を停止させると、これらの小径の塵埃が落下し、フィルタ部材（71）の上面に積もることになる。従って、ユーザーは、これらの小径の塵埃をフィルタ部材（71）で捕捉した塵埃と共に併せて清掃することができる。また、このようにフィルタ部材（71）を各熱交換エレメント（61）の下側に配置すると、フィルタ部材（71）を交換する際等にフィルタ（71）から埃等が剥がれ落ちても、この埃が熱交換エレメント（61）の上側に付着してしまうことがない。
【０１０５】
また、図２に示すように、ケーシング本体（11）から前面パネル（12）を取り外すことで、各熱交換エレメント（61,62）及び電装品箱（72）がケーシング（10）の外部に露出されることになる。このため、メンテナンス業者等は、換気装置（1）の前側から各熱交換エレメント（61,62）や電装品箱（72）内の各電装品のメンテナンスを容易に行うことができる。
【０１０６】
−実施形態の効果−
上記実施形態では、室外吸込口（21）と室内吸込口（22）と室内給気口（23）と室外排気口（24）とを、それぞれケーシング（10）の上面板（13）に形成するようにしている。このため、この換気装置（1）を床面に設置しても、各吸込口（21,22）や給／排気口（23,24）に接続されるダクトの設置スペースの最小化を図ることができ、この換気装置（1）の設置場所の自由度を向上させることができる。
【０１０７】
また、このようにして換気装置（1）を床置型とすると、例えば天井埋込型の換気装置と比較して、室内空間側からのメンテナンスを容易に行うことができる。
【０１０８】
また、上記実施形態では、前面パネル（12）を取り外すことで、熱交換エレメント（61,62）や電装品箱（72）がケーシング（10）の外部へ露出するようにしている。また、上記実施形態では、閉塞部材（12b）を取り外すことで、フィルタ部材（71）がケーシング（10）の外部へ露出するようにしている。このため、上記実施形態によれば、換気装置（1）がクローゼット等の収納空間（80）に設置された状態であっても、換気装置（1）の前側から各構成部品のメンテナンスを容易に行うことができる。
【０１０９】
《その他の実施形態》
上記実施形態については、以下のような構成としてもよい。
【０１１０】
上記実施形態では、室外吸込口（21）と室内吸込口（22）と室内給気口（23）と室外排気口（24）とを、それぞれケーシング（10）の上面板（13）に形成するようにしている。しかしながら、これらの吸込口（21,22）や給／排気口は、必ずしもケーシング（10）の上面に形成する必要はなく、例えばケーシング（10）の上部寄りの側板に形成するようにしても良い。この場合にも、各ダクトを天井側に伸ばすことで、室内の床面側のスペースが狭くなってしまうのを回避できる。
【０１１１】
また、上記実施形態のフィルタ部材（71）では、各熱交換エレメント（61,62）の上流側の室外空気中の塵埃を捕集するようにしている。しかしながら、このフィルタ部材で、各熱交換エレメント（61,62）の上流側の室内空気中の塵埃を捕集するようにしても良い。この場合にも、前面パネル（12）を取り外すことで、フィルタ部材を外部に露出させるようにすると、このフィルタ部材のメンテナンスが容易となる。
【０１１２】
また、上記実施形態の換気装置（1）では、室外空気と室内空気の間で熱と水分（つまり顕熱と潜熱）の両方を交換させる熱交換エレメント（61,62）を用いているが、これに代えて、室外空気と室内空気の間で顕熱だけを交換させる顕熱交換エレメントを用いてもよい。また、熱交換エレメント（61,62）の個数は、２つに限定されるものではなく、１つであっても良いし、３つ以上であっても良い。
【０１１３】
なお、以上の実施形態は、本質的に好ましい例示であって、本発明、その適用物、あるいはその用途の範囲を制限することを意図するものではない。
【産業上の利用可能性】
【０１１４】
以上説明したように、本発明は、室外空気を室内へ供給し、室内空気を室外へ排出しながら、各空気を熱交換させる熱交換エレメントを備えた換気装置について有用である。
【図面の簡単な説明】
【０１１５】
【図１】図１は、実施形態に係る換気装置の外観を表した概略斜視図である。
【図２】図２は、換気装置の内部前面側を表した概略斜視図である。
【図３】図３は、換気装置の内部構造を表す概略斜視図であり、給気ファンと排気ファンと前面パネルとの図示を省略したものである。
【図４】図４は、換気装置の内部構造を表す概略斜視図であり、ケーシング上部と前面パネルと第４及び第５部材と第１及び第２熱交換エレメントとの図示を省略したものである。
【図５】図５は、換気装置の内部構造を表す概略斜視図であり、給気ファンと排気ファンと前面パネルと第５部材と第１及び第２熱交換エレメントとの図示を省略したものである。
【図６】図６は、換気装置の内部構造を表す概略斜視図であり、給気ファンと排気ファンと前面パネルと第１及び第２熱交換エレメントとの図示を省略したものである。
【図７】図７は、第１熱交換エレメント及び第２熱交換エレメントの概略斜視図である。
【図８】図８(Ａ)は、換気装置の左側部位の縦断面図であり、図８(Ｂ)は、換気装置の右側部位の縦断面図である。
【図９】図９は、換気装置の設置例を示す概略斜視図である。
【図１０】図１０(Ａ)は、図８(Ａ)について熱交換換気運転時の空気流れを付したものであり、図１０(Ｂ)は、図８(Ｂ)について熱交換換気運転時の空気流れを付したものである。
【図１１】図１１(Ａ)は、図８(Ａ)について普通換気運転時の空気流れを付したものであり、図１１(Ｂ)は、図８(Ｂ)について普通換気運転時の空気流れを付したものである。
【符号の説明】
【０１１６】
1   換気装置
10  ケーシング
12  前面パネル
21  室外吸込口
22  室内吸込口
23  室内給気口
24  室外排気口
61  第１熱交換エレメント（熱交換エレメント）
62  第２熱交換エレメント（熱交換エレメント）
71  フィルタ（フィルタ部材）
72  電装品箱
73  給気ファン
74  排気ファン
【図１】
2008045794.tif 000003
【図２】
2008045794.tif 000004
【図３】
2008045794.tif 000005
【図４】
2008045794.tif 000006
【図５】
2008045794.tif 000007
【図６】
2008045794.tif 000008
【図７】
2008045794.tif 000009
【図８】
2008045794.tif 000010
【図９】
2008045794.tif 000011
【図１０】
2008045794.tif 000012
【図１１】
2008045794.tif 000013